(57)【特許請求の範囲】
【請求項１】
縦方向および横方向を備え、前記縦方向と前記横方向とにそれぞれ直交する前後方向を有する扉および前記扉を支持する壁のいずれかの被装着体に取り付けられる錠と、前記扉が前記壁に対して開くことを許容する解錠状態および前記扉が前記壁に対して開くことを規制する施錠状態に前記錠を操作する鍵とを備える施錠装置において、
前記錠は、前記鍵の軸部の先端側を挿入する挿入孔を有するベース部、および前記ベース部の周縁のフランジ部を備えて前記被装着体の前方に位置させる頭部と、前記頭部を覆うカバーと、前記ベース部の後面側から後方に向かって延びる脚部とを含み、前記挿入孔に挿入した前記鍵を周方向に回転させることで施錠状態と解錠状態とに操作され、
前記カバーが、前記頭部の前記前方から嵌合して前記頭部の前面部分を覆う電気絶縁性の第１部品と、前記頭部の前記後方から前記第１部品に嵌合して前記頭部の後面部分を覆う電気絶縁性の第２部品とから形成され、
前記フランジ部の前記周方向の一部に形成してある凹部と、前記第１部品に形成してあって前記凹部に係合する凸部とを有し、前記第１部品が前記周方向に回転することを規制する第１回転規制手段を前記錠が備え、
前記第２部品は、前記脚部を通過させる通過孔を有し、
前記脚部の周縁において前記周方向の一部を平坦に形成した平坦部と、前記第２部品の前記通過孔の周壁において径内方向に向けて突出するように前記周方向の一部に形成したリング直状部とを有し、前記脚部に対して前記第２部品が前記周方向に回転することを規制する第２回転規制手段を前記錠が備え、
前記第１回転規制手段は前記頭部に設けてある一方、前記第２回転規制手段は前記脚部に設けてあることを特徴とする前記施錠装置。
【請求項２】
前記第１回転規制手段は、前記縦方向において前記錠の両端部に位置する一方、前記第２回転規制手段は、前記横方向において前記錠の両側縁に位置する請求項１に記載の施錠装置。
【発明の詳細な説明】
【技術分野】
【０００１】
この発明は、錠と鍵とを有する施錠装置に関する。
【背景技術】
【０００２】
従来、錠と鍵とを有する施錠装置は公知である。例えば、特許文献１には、扉に取り付ける錠と、錠の施錠状態と解錠状態とを操作する鍵とを備える施錠装置が開示されている。
【先行技術文献】
【特許文献】
【０００３】
【特許文献１】特開２００８−１２７９１８号公報
【発明の概要】
【発明が解決しようとする課題】
【０００４】
錠は、耐久性を考慮し、一般的には金属性である。このような錠を、電気絶縁性の扉に取り付ける場合がある。その場合の錠は、例えば、冬の湿度の低い日において、風等によって静電気が帯電する場合がある。静電気が帯電した錠に人が触れた場合や錠に人が接近した場合、その静電気が放電し、人が静電気による不快な刺激を感じることがある。
【０００５】
そこで、この発明では、錠に人が触れた場合や錠に人が接近した場合でも、静電気による不快な刺激を防止することができる施錠装置の提供を課題にしている。
【課題を解決するための手段】
【０００６】
前記課題を解決するために、この発明は、縦方向および横方向を備え、前記縦方向と前記横方向とにそれぞれ直交する前後方向を有する扉および前記扉を支持する壁のいずれかの被装着体に取り付けられる錠と、前記扉が前記壁に対して開くことを許容する解錠状態および前記扉が前記壁に対して開くことを規制する施錠状態に前記錠を操作する鍵とを備える施錠装置を前提とする。
【０００７】
かかる施錠装置において、この発明の特徴は、前記錠は、前記鍵の軸部の先端側を挿入する挿入孔を有するベース部、および前記ベース部の周縁のフランジ部を備えて前記被装着体の前方に位置させる頭部と、前記頭部を覆うカバーと、前記ベース部の後面側から後方に向かって延びる脚部とを含み、前記挿入孔に挿入した前記鍵を周方向に回転させることで施錠状態と解錠状態とに操作され、前記カバーが、前記頭部の前記前方から嵌合して前記頭部の前面部分を覆う電気絶縁性の第１部品と、前記頭部の前記後方から前記第１部品に嵌合して前記頭部の後面部分を覆う電気絶縁性の第２部品とから形成され、前記フランジ部の前記周方向の一部に形成してある凹部と、前記第１部品に形成してあって前記凹部に係合する凸部とを有し、前記第１部品が前記周方向に回転することを規制する第１回転規制手段を前記錠が備え、前記第２部品は、前記脚部を通過させる通過孔を有し、前記脚部の周縁において前記周方向の一部を平坦に形成した平坦部と、前記第２部品の前記通過孔の周壁において径内方向に向けて突出するように前記周方向の一部に形成したリング直状部とを有し、前記脚部に対して前記第２部品が前記周方向に回転することを規制する第２回転規制手段を前記錠が備え、前記第１回転規制手段は前記頭部に設けてある一方、前記第２回転規制手段は前記脚部に設けてあるものである。
【０００８】
この発明の好ましい実施態様の一つにおいて、前記第１回転規制手段は、前記縦方向において前記錠の両端部に位置する一方、前記第２回転規制手段は、前記横方向において前記錠の両側縁に位置する。
【発明の効果】
【００１２】
この発明に係る施錠装置によれば、カバーが、頭部の前面部分を覆う電気絶縁性の第１部品と、頭部の後面部分を覆う電気絶縁性の第２部品とから形成されているため、錠に静電気が帯電した状態において、錠に人が触れた場合または錠に人が接近した場合でも、静電気が放電することを防止することができる。しかも、カバーは、前方から頭部に嵌合する第１部品と、後方から第１部品に嵌合する第２部品とから形成されているため、錠を扉に取り付けた後に静電気による放電を防止する必要が生じた場合においても、錠を扉から外せば、その錠にカバーを取り付けることができる。よって、既設の錠についても放電防止機能を付与することもできる。しかも、２つの部品によってカバーを形成してあるため、１つの部品によってカバーを形成する場合に比して、強固にカバーを頭部に取り付けることができる。さらに、２つの部品のみからカバーを形成してあるため、部品点数が増加して、製造および取り付けが煩雑になることも防止することができる。
【図面の簡単な説明】
【００１３】
【図１】本発明に係る施錠装置を適用する扉を備える防護柵の斜視図。
【図２】施錠装置の斜視図。
【図３】施錠装置の分解斜視図
【図４】カバーの分解斜視図。
【図５】図２のＶ−Ｖ線切断面を示す図。
【発明を実施するための形態】
【００１４】
添付の図面を参照し、この発明に係る施錠装置の詳細を説明すると、以下のとおりである。
【００１５】
図１は、この発明にかかる施錠装置を適用する防護柵１を示す斜視図である。図中、Ｘは横方向を示し、Ｙは横方向と直交する縦方向を示し、Ｚは横方向Ｘおよび縦方向Ｙにそれぞれ直交する前後方向を示している。
防護柵１は、駅のホーム２から人が線路に転落したり、ホーム２を通過する電車に人が接触したりすることを防止するため、ホーム２の縁に沿って設置してある。
【００１６】
このような防護柵１は、固定柵３と移動ドア４とを備えている。固定柵３は、内部に収容空間３ａを画成する固定壁（壁）３ｂを備えている。
移動ドア４は、固定柵３の収容空間３ａに収容した収容状態（不図示）と、収容空間３ａから進出して固定柵３の外部に露出した進出状態（図１において実線で示してある）とに移動可能に形成してある。移動ドア４が進出状態に移動した場合には、固定柵３の間の開口３ｃが移動ドア４によって閉塞され、ホーム２から線路側に人が移動することができない。一方、移動ドア４が収容状態に移動した場合には、固定柵３の間の開口３ｃを通じてホーム２の側から、線路側に停車した電車に移動することができる。
【００１７】
防護柵１は、収容状態と進出状態とに移動ドア４を移動するための駆動装置（不図示）を備え、この駆動装置は、固定壁（被装着体）３ｂの収容空間３ａに収容してある。
固定壁３ｂのホーム２の側には開口５を形成してあり、防護柵１は、この開口５を開閉する扉（被装着体）６を備えている。この扉６は、通常、閉じた状態にあって収容空間３ａが外部に露出することを防止しているが、例えば駆動装置の点検等を行う場合に開くことができる。この扉６の上部には、錠２０が取り付けてある。
【００１８】
図２は、錠２０を扉６に取り付けた状態を示す部分破断斜視図である。
錠２０は、鍵３０とともに施錠装置１０を形成するものである。錠２０は、扉の内側に爪金具２１を有し、図２において実線で示すように、扉６の固定枠７に対して交差するように爪金具２１が縦方向Ｙに延びる施錠状態では、爪金具２１が固定枠７に後方から係合して扉６が前方に向かって開くことを規制している。錠２０の後記挿入孔２３ｈにハンドル状の鍵３０を挿入して爪金具２１を周方向Ｒに旋回し、図２において二点鎖線で示すように、横方向Ｘに延びるように爪金具２１を移動させると、爪金具２１と固定枠７との係合が解かれ、錠２０が解錠状態となって扉６を開くことができる。
【００１９】
錠２０は、扉６の前面側から露出する頭部２２を有している。頭部２２は、挿入孔２３ｈを有する円形のベース部２４と、ベース部２４の周縁のフランジ部２５とを備えている。錠２０は、また、ベース部２４の後面側から後方に向かって延びる略円柱状の脚部２６を備えている。頭部２２および脚部２６は、例えば電気導電性を有する金属で一体に形成してある。
【００２０】
図３は、錠２０の分解斜視図である。図３では、説明の都合上、固定枠７および後記カバー４０を省略してある。
脚部２６の周縁には、周方向Ｒの一部を平坦にした平坦部２６ａと、平坦部２６ａを除いた部位に設けたねじ部２６ｂとを形成してある。平坦部２６ａは、横方向Ｘの両側縁に一対設けてあり、ねじ部２６ｂは、平坦部２６ａを除いた部位に設けてある。
扉６には、錠２０を取り付けるための透孔８を形成してある。透孔８は、弧状部８ａと直状部８ｂとを有している。扉６に錠２０を取り付ける場合、錠２０を扉６の前方に配置した後、透孔８の弧状部８ａと、錠２０のねじ部２６ｂとが対向し、かつ透孔８の直状部８ｂと、錠２０の平坦部２６ａとが対向するように、錠２０を前方から後方に移動させて扉６の後面側に脚部２６の先端部２６ｃを露出させてから、扉６の後面側からリングワッシャー１１を介してねじ部２６ｂにナット１２を螺着させて、フランジ部２５とナット１２で扉６を挟む。その後、爪金具２１、およびワッシャー１８をボルト１９で脚部２６の先端部２６ｃに取り付ける。
また、透孔８の直状部８ｂと、錠２０の平坦部２６ａとによって、扉６に対して錠２０が周方向Ｒに回転することを規制することができる。
【００２１】
再び、図２に戻って説明する。挿入孔２３ｈは、円形の中心部２３ａと、中心部２３ａから縦方向Ｙに延在する第１延在部２３ｂと、中心部２３ａから横方向Ｘに延在する第２延在部２３ｃとを備えている。なお、延在部２３ｂ，２３ｃは、縦方向Ｙおよび横方向Ｘのそれぞれに設ける必要はなく、いずれか一方のみを備えてもよい。
【００２２】
鍵３０は、錠２０の状態を操作する者が握る把持部３１と、把持部３１の長さ方向に対して交差する方向に延びる軸部３２と、軸部３２の先端部３３において径外方向へ相互に離間するように延びる一対の突出部３４ａ，３４ｂとを備えている。
鍵３０は、錠２０の挿入孔２３ｈの中心部２３ａに軸部３２の先端側を入れ、かついずれか一方の延在部２３ｂ，２３ｃに突出部３４ａ，３４ｂを挿入した状態で周方向Ｒに回転させれば、錠２０の状態を変える操作を行うことができる。
【００２３】
図４は、錠２０が備えるカバー４０の分解斜視図であり、図５は、カバー４０の断面図である。カバー４０は、第１部品４１と第２部品５１とから形成してある。
第１部品４１は、頭部２２の前面部分２２ａを覆う円形部４２と、円形部４２の周縁から後方に向けて延びる第１側部４３と、第１側部４３の後面側から径内方向へ向けて互いに近接するように延びる一対の凸部４４ａ，４４ｂとを有している。一対の凸部４４ａ，４４ｂは、第１側部４３の上端部および下端部のみに設けてある。換言すれば、一対の凸部４４ａ，４４ｂは、第１部品４１の縦方向Ｙにおける両端部にのみに設けてある。
また円形部４２には、挿入孔２３ｈと同一の形状であって、縦横の大きさも同一の貫通孔４５を形成してある。このような第１部品４１は、例えばポリカーボネイト等の熱可塑性合成樹脂によって無色透明で電気絶縁性を有するように形成してある。
【００２４】
第２部品５１は、頭部２２の後面部分２２ｂを覆う環状部５２と、環状部５２の前面側の周縁から前方に向けて突出する第２側部５３とを備えている。環状部５２には、錠２０の脚部２６を通過させる通過孔５４を形成してある。また、環状部５２には、通過孔５４の周壁において径内方向に向けて突出するように、周方向Ｒの一部に形成した一対のリング直状部５５ａ，５５ｂを形成してある。すなわち、環状部５２は、通過孔５４の内周壁において、横方向Ｘの両側縁に一対のリング直状部５５ａ，５５ｂを設けてあり、これらのリング直状部５５ａ，５５ｂの間に、リング弧状部５５ｃを有している。このような第２部品５１は、例えば熱可塑性合成樹脂によって電気絶縁性を有するように形成してある。
【００２５】
既設の錠２０にカバー４０を取り付ける場合、先ず、扉６から錠２０を取り外す。次に、頭部２２の前面側に第１部品４１を取り付ける。この取り付けの際、フランジ部２５の後面側において、上端部と下端部のみに形成した凹部２５ａ，２５ｂと、この凹部２５ａ，２５ｂに係合する第１部品４１の凸部４４ａ，４４ｂとを係合させて、第１部品４１が周方向Ｒに回転することを規制している。すなわち、この錠２０は、第１部品４１と頭部２２との間に、凸部４４ａ，４４ｂと、凹部２５ａ，２５ｂとを有する第１回転規制手段４９を備えている。
【００２６】
次いで、第１部品４１を取り付けた頭部２２に第２部品５１を取り付ける。この取り付けの際、脚部２６のねじ部２６ｂと、第２部品５１のリング弧状部５５ｃとが対向し、かつ脚部２６の平坦部２６ａと、第２部品５１のリング直状部５５ａ，５５ｂとが対向するように、第２部品５１の通過孔５４に錠２０の脚部２６を通過させれば、平坦部２６ａとリング直状部５５ａ，５５ｂとによって、脚部２６に対して第２部品５１が周方向Ｒに回転することを規制することができる。すなわち、この錠２０は、第２部品５１と脚部２６との間に、リング直状部５５ａ，５５ｂと、平坦部２６ａとを有する第２回転規制手段５９を備えている。最後に、上述と同様、錠２０を壁６に取り付けてから、爪金具２１等をボルト１９で脚部２６に取り付ける。
【００２７】
この発明に係る施錠装置１０によれば、頭部２２の前面部分２２ａを覆う電気絶縁性の第１部品４１と、頭部２２の後面部分２２ｂを覆う電気絶縁性の第２部品とを錠２０が備えているため、錠２０に静電気が帯電した状態において、錠２０に人が触れた場合または錠２０に人が接近した場合でも、静電気が放電することを防止することができる。しかも、カバー４０が、頭部２２の前方から嵌合する第１部品４１と、頭部２２の後方から第１部品４１に嵌合する第２部品５１とから形成されているため、錠２０を扉６に取り付けた後に静電気による放電を防止する必要が生じた場合においても、錠２０を扉６から外せば、その錠２０にカバー４０を取り付けることができる。よって、既設の錠２０についても放電防止機能を付与することもできる。しかも、２つの部品４１，５１によってカバー４０を形成してあるため、１つの部品によってカバーを形成する場合に比して、強固にカバー４０を頭部２２に取り付けることができる。さらに、２つの部品４１，５１のみからカバー４０を形成してあるため、部品点数が増加して、製造および取り付けが煩雑になることも防止することができる。
【００２８】
加えて、頭部２２と第１部品４１との間に形成した第１回転規制手段４９によって、カバー４０の貫通孔４５と、錠２０の挿入孔２３ｈとが合致した状態を維持することができる。
【００２９】
また、第１回転規制手段４９を頭部２２に設ける一方、第２回転規制手段５９を脚部２６に設けてあるため、例えば鍵３０を操作する際にカバー４０に対して周方向Ｒに力が加わった場合、その力を頭部２２と脚部２６とに分散することができる。よって、カバー４０が破損することを防止することができる。
加えて、第１回転規制手段４９を縦方向Ｙの両端部に設ける一方、第２回転規制手段５９を横方向の両側縁に設けてあるため、鍵３０を操作する際にカバー４０に対して周方向Ｒに力が加わった場合、その力を縦方向Ｙおよび横方向Ｘに分散することができる。よって、カバー４０の破損を一層確実に防止することができる。
【００３０】
なお、施錠装置１０は、この発明の範囲で適宜変更することができ、上述した実施の形態に限定されることはない。例えば、上述した実施形態では、錠２０の被装着体として扉６を用いるもので説明したが、錠２０は必ずしも扉６に設ける必要はなく、固定壁３ｂに設けてもよい。
また、上述した実施の形態では、第１部品４１に凸部４４ａ，４４ｂを設ける一方、頭部２２に凹部２５ａ，２５ｂを設けるもので説明したが、第１部品４１に凹部を設け、頭部２２に凸部を設けてもよい。
さらに、第１部品４１および第２部品５１は、電気絶縁性を有する材料で形成すればよく、例えば合成ゴム、天然ゴム等によって形成してもよい。
なお、施錠装置１０を構成する部品には、特に明記されていない限りにおいて、本明細書に記載されている材料のほかに、この種の分野において通常用いられている公知の材料を制限なく用いることができる。
【符号の説明】
【００３１】
３ｂ    固定壁（壁）
６      扉
８      透孔
１０    施錠装置
２０    錠
２２    頭部
２３ｈ  挿入孔
２４    ベース部
２５    フランジ部
２５ａ  凹部
２５ｂ  凹部
２６    脚部
２６ａ  平坦部
３０    鍵
３４ａ  突出部
３４ｂ  突出部
４１    第１部品
４４ａ  凸部
４４ｂ  凸部
４９    第１回転規制手段（回転規制手段）
５１    第２部品
５４    通過孔
５９    第２回転規制手段
Ｘ      横方向
Ｙ      縦方向
Ｚ      前後方向
【図１】
0005460623.tif 000002
【図２】
0005460623.tif 000003
【図３】
0005460623.tif 000004
【図４】
0005460623.tif 000005
【図５】
0005460623.tif 000006